(57)【要約】【課題】蓋体の良好な開蓋性を損なうことなく、不用意な開蓋を防止できる注出キャップを提案する。【解決手段】この注出キャップ１は、容器の口部に固定保持されるキャップ本体２とこのキャップ本体２に開閉可能に連結された蓋体３とからなり、キャップ本体２の頂板６に、その外縁部から内方へ向けて部分的に切り欠かれた切欠き部９を設けるとともに、キャップ本体２の周壁８に、少なくとも切欠き部９の下方に位置する部分に設けられ、容器の口部へ向かう押し込みにより、切欠き部９の間から、蓋体３の下端部１０ａを出現させる押込み操作部１５を設けたものである。【選択図】図１
2010275001.tif 000002
【特許請求の範囲】
【請求項１】
内容物の注出経路を形成する注出口を有し、容器の口部に固定保持されるキャップ本体と、このキャップ本体の注出口を閉塞する栓を有し、キャップ本体に開閉可能に連結保持された蓋体と、を備える注出キャップであって、
前記キャップ本体が、容器の口部突端に位置し、その上面に前記注出口を有する頂板と、
前記頂板の外縁部において垂下保持され、容器の口部の周りを取り囲む周壁と、
前記頂板の外縁部から内方へ向けて部分的に切り欠かれた切欠き部と、
前記周壁の、少なくとも前記切欠き部の下方に位置する部分に設けられ、容器の口部へ向かう押し込みにより、前記切欠き部の間から、前記蓋体の下端部を出現させる押込み操作部と、を備えることを特徴とする注出キャップ。
【請求項２】
前記キャップ本体の周壁の、少なくとも前記切欠き部の下方に位置する部分に薄肉部を設けて前記押込み操作部を一体に形成した、請求項１に記載の注出キャップ。
【請求項３】
前記キャップ本体の周壁の、前記切欠き部の下方に位置する部分を切離し孔によって該周壁から部分的に切り離して前記押込み操作部を一体に形成した、請求項１又は２に記載の注出キャップ。
【請求項４】
前記押込み操作部を前記キャップ本体とは別体の押し釦により形成した、請求項１に記載の注出キャップ。
【発明の詳細な説明】
【技術分野】
【０００１】
この発明は、内容物の注出経路を形成する注出口を有し、容器の口部に固定保持されるキャップ本体と、このキャップ本体に開閉可能に連結保持された蓋体とを備える注出キャップに関し、特に、該蓋体の不用意な開放の防止を図ろうとするものである。
【背景技術】
【０００２】
この種のキャップとしては、一般的に、蓋体の下端部に外側へ突出した鍔部が設けられており、かかる鍔部に指を掛けて上方へ引き上げることで、蓋体を開放することができるようになっている。一方、特許文献１には、容器を持った片手のみで容易に蓋体を開放できるよう、キャップ基台に押し釦を設けてこの押し釦を押し込むことにより蓋体が連動して開放されるようにした注出キャップが提案されている。
【先行技術文献】
【特許文献】
【０００３】
【特許文献１】実開平７−９７４６号公報
【発明の概要】
【発明が解決しようとする課題】
【０００４】
しかしながら、上記従来技術においては、上記鍔部の引き上げや上記押し釦の押し込みといった一方向への一動作のみによって開蓋が行われるものであったので、この鍔部を何かに引っ掛けたり押し釦を何かにぶつけたりした場合に不用意に開蓋するおそれがあった。
【０００５】
それゆえこの発明は、蓋体の良好な開蓋性を損なうことなく、不用意な開蓋を防止できる注出キャップを提案することをその目的とする。
【課題を解決するための手段】
【０００６】
この発明は、上記課題を解決するためになされたものであり、この発明の注出キャップは、内容物の注出経路を形成する注出口を有し、容器の口部に固定保持されるキャップ本体と、このキャップ本体の注出口を閉塞する栓を有し、キャップ本体に開閉可能に連結保持された蓋体と、を備える注出キャップであって、前記キャップ本体が、容器の口部突端に位置し、その上面に前記注出口を有する頂板と、前記頂板の外縁部において垂下保持され、容器の口部の周りを取り囲む周壁と、前記頂板の外縁部から内方へ向けて部分的に切り欠かれた切欠き部と、前記周壁の、少なくとも前記切欠き部の下方に位置する部分に設けられ、容器の口部へ向かう押し込みにより、前記切欠き部の間から、前記蓋体の下端部を出現させる押込み操作部と、を備えることを特徴とするものである。
【０００７】
かかる注出キャップにあっては、操作者が、キャップ本体の周壁に設けられた押込み操作部を容器の口部（キャップ本体の内方）へ向けて押し込むと、キャップ本体の頂板に設けられた切欠き部の間から蓋体の下端部が出現し、さらに操作者がその下端部に指を掛けて上方へ引き上げることで蓋を開けることができる。
【０００８】
従って、この発明の注出キャップによれば、キャップ本体を蓋体で閉じた状態では、キャップ本体と蓋体との間に指掛かりとなる部位が存在せず、一方、開蓋するにあたっては、上述のように、押込み操作部の押し込み及び蓋体の引き上げといった二方向への二動作が必要となるから、押込み操作部を何かにぶつけた場合でも不用意な開蓋を防止することができる。
【０００９】
なお、この発明の注出キャップにあっては、キャップ本体の周壁の、少なくとも切欠き部の下方に位置する部分に薄肉部を設けて押込み操作部を一体に形成することが好ましい。
【００１０】
また、この発明の注出キャップにあっては、キャップ本体の周壁の、切欠き部の下方に位置する部分を切離し孔によって該周壁から部分的に切り離して押込み操作部を一体に形成することが好ましい。
【００１１】
又は、この発明の注出キャップにあっては、押込み操作部をキャップ本体とは別体の押し釦により形成することが好ましい。
【発明の効果】
【００１２】
この発明によれば、蓋体の良好な開蓋性を損なうことなく、不用意な開蓋を防止できる注出キャップを提案することが可能となる。
【図面の簡単な説明】
【００１３】
【図１】この発明の実施形態に係る注出キャップを示し、（ａ）は注出キャップの軸線方向に沿う断面図であり、（ｂ）はＡ矢視図である。
【図２】図１の注出キャップを示し、（ａ）は閉蓋時を示す上面図であり、（ｂ）は開蓋時を示す上面図であり、（ｃ）はキャップ本体を前側から示した斜視図である。
【図３】この発明の他の実施形態に係る注出キャップを示し、（ａ）は注出キャップの軸線方向に沿う断面図であり、（ｂ）はＡ矢視図である。
【図４】図３の注出キャップの上面図を示し、（ａ）は閉蓋時、（ｂ）は開蓋時を示すものである。
【図５】この発明の他の実施形態に係る注出キャップを示し、（ａ）は注出キャップの軸線方向に沿う断面図であり、（ｂ）はＡ矢視図である。
【図６】図５の注出キャップの上面図を示し、（ａ）は閉蓋時、（ｂ）は開蓋時を示すものである。
【図７】この発明の他の実施形態に係る注出キャップを示し、（ａ）は注出キャップの軸線方向に沿う断面図であり、（ｂ）はＡ矢視図である。
【図８】図７の注出キャップの上面図を示し、（ａ）は閉蓋時、（ｂ）は開蓋時を示すものである。
【図９】この発明の他の実施形態に係る注出キャップを示し、（ａ）は注出キャップの軸線方向に沿う断面図であり、（ｂ）はＡ矢視図である。
【図１０】図９の注出キャップを、押し釦を組み込む前の状態で示した斜視図である。
【図１１】図９の注出キャップの上面図を示し、（ａ）は閉蓋時、（ｂ）は開蓋時を示すものである。
【発明を実施するための形態】
【００１４】
以下、この発明の実施形態に係る注出キャップについて図面を参照して詳細に説明する。ここに、図１は、この発明の実施形態に係る注出キャップを示し、（ａ）は注出キャップの軸線方向に沿う断面図であり、（ｂ）はＡ矢視図である。図２は、図１の注出キャップを示し、（ａ）は閉蓋時を示す上面図であり、（ｂ）は開蓋時を示す上面図であり、（ｃ）はキャップ本体を前側から示した斜視図である。
【００１５】
図１（ａ）に示すように、この注出キャップ１は、内容物として例えば液体を充填可能な容器ｃの口部ｃ１に固定保持されるキャップ本体２と、このキャップ本体２に開閉可能に連結保持される蓋体３とを備えてなる。これらのキャップ本体２と蓋体３とは各後部側にてヒンジ部４を介して連結されている。なお、蓋体３は、内容物の注出時に邪魔にならないようその開放角度が約１８０度となっている。
【００１６】
キャップ本体２は、容器ｃの口部ｃ１の突端に位置し、その上面に容器ｃ内の内容物の注出経路を形成する略円筒状の注出口５が立設された頂板６と、この頂板６から垂下保持され、容器ｃの口部ｃ１の外周に螺着される内筒７と、該頂板６の外縁部において垂下保持され、内筒７の周りを所定の空間（少なくとも前側部分に空間を設けていれば良く、それ以外の部分には空間を設けなくても良い）を隔ててその全周に亘って取り囲む周壁としての外筒８と、を有する。また、頂板６の裏面には、容器ｃの口部ｃ１の内周面と係合してシールを形成するシール筒６ａが垂設されている。図２（ｂ）に示すように、頂板６には、その外縁部の前部側から内筒７側（内筒７と外筒８との間）へ向けて部分的に切り欠かれた切欠き部９が穿設されている。なお、容器ｃの口部ｃ１の外周と内筒７との嵌合方法については、双方に突部や凹部等を設けて嵌合させても良い。また、この例では周壁を外筒８で形成したが、上述のように内筒７の少なくとも前側部分との間に空間を形成できればよいから、内筒７の前側部分を空間を隔てて覆い隠す外壁（図示省略）を設けて周壁を形成しても良い。
【００１７】
図１に戻り、蓋体３は、キャップ本体１の外筒７の外縁形状とほぼ同一の外縁形状を持つ側壁１０と、この側壁１０に肩部１１を介してなだらかに連結された平面状の上壁１２とを有する。上壁１２の裏面には、閉蓋時に、キャップ本体１の注出口５を係合して密嵌する栓１３が垂設されており、さらに上壁１２の裏面からは、栓１３の周りをその全周に亘って取り囲み、閉蓋時にその下端部にてキャップ本体２の頂板６の上面に当接する囲い壁１４が垂下されている。
【００１８】
ここで、キャップ本体２の外筒８には、キャップ本体２の切欠き部９の下方に位置する部分（ｐ１とｐ２の間の部分）の肉厚をこの部分に隣接する他の部分（ｐ１とｐ２の間の部分以外の部分）に比べて薄くした薄肉部が設けられ、これにより、内筒７側への押圧力Ｆ（図１（ａ）参照）によって当該内筒７側へ向けて撓み変形する一方で当該押圧力Ｆを除去した状態では元の位置に復帰する押込み操作部１５が形成されている。押込み操作部１５の幅（ｐ１及びｐ２間の距離）は、切欠き部９の幅（切欠き部９を頂板６の周方向に沿って計測した距離）よりも大きく設定されている。また、押込み操作部１５の上端部と、頂板６の切欠き部９の周方向左右位置Ｑ１、Ｑ２（図２（ｃ）参照）との境界位置は切込み部ｈ１、ｈ２によって切離されており、これにより押込み操作部１５を構成する薄肉部の肉厚を過度に薄くすることなく（薄肉部の剛性を確保しつつ）、押込み操作部１５の所望の変形量を確保可能としている。なお、薄肉部の形成範囲と押込み操作部１５は、少なくても切欠き部９の幅に対応する部分に設けてあれば良い。また、切込み部ｈ１、ｈ２は設けなくてもよく、切込み部が無い場合には、外観形状を損なわないため見栄えが良くなる。
【００１９】
かかる実施形態の注出キャップ１にあっては、図１（ｂ）及び図２（ａ）に示すように、キャップ本体２を蓋体３で閉じて、キャップ本体２の注出口５と蓋体３の栓１３とが係合した状態では、注出キャップ１の軸線Ｓ方向に沿ってみて蓋体３の側壁１０がキャップ本体２の外筒８から突出する部分が存在せず、そのため、キャップ本体２と蓋体３との間に蓋体３の不用意な開蓋を助長する引掛り部（段差）が形成されることはなく、不慮に注出キャップ１を何かにぶつけたり容器ｃを倒したりしてもそれにより不用意に開蓋することはない。
【００２０】
一方、図２（ｂ）に示すように、この注出キャップ１を開蓋するにあたって、操作者が、キャップ本体２の外筒８に設けられた押込み操作部１５をキャップ本体２の内筒７側へ向けて押圧すると、当該押圧力Ｆによって押込み操作部１５が撓み変形し、キャップ本体２の頂板６に設けられた切欠き部９の間から、蓋体３の側壁１０の下端部１０ａ（指掛かり）が出現する。そして操作者がこの下端部１０ａに指を掛けて蓋体３を上方へ引き上げることでキャップ本体２の注出口５と蓋体３の栓１３との係合が解除され、開蓋される。押圧力Ｆにより撓み変形した押込み操作部１５は、指を離すとその弾性機能により元の位置に復帰する。
【００２１】
従って、この注出キャップ１によれば、キャップ本体２を蓋体３で閉じた状態では、キャップ本体２と蓋体３の間に指掛かりとなる段差が存在せず、一方、開蓋するにあたっては、上述のように、押込み操作部１５の押し込み及び蓋体３の引き上げといった二方向への二動作が必要となるから、押込み操作部１５を何かにぶつけた場合でも不用意な開蓋を防止することができる。
【００２２】
次いで、この発明に適用可能な種々の押込み操作部について図面を参照して説明する。
【００２３】
図３及び４に示す例は、キャップ本体２の外筒８の、切欠き部９の下方に位置する部分を挟み込むように、縦方向（軸線Ｓ方向）に互いに平行して延びる2本の縦孔１７、１７（切離し孔）を穿設してそれらの縦孔１７、１７間に押込み操作部１５を一体に形成したものであり、当該押込み操作部１５を内方へ押込むことで、押込み操作部１５の根元部分を基に弾性変形させて切欠き部９の間から蓋体３の側壁１０の下端部１０ａが出現するようにしたものである。なお、図１の例と同様、押込み操作部１５の範囲には、薄肉部を形成してあり、当該薄肉部の形成範囲と押込み操作部１５は、少なくとも切欠き部９の幅に対応する部分に設けてあれば良い。
【００２４】
図５及び６に示す例は、キャップ本体２の外筒８の、切欠き部９の下方に位置する部分に横方向（周方向）に延びる１本の横孔１８（切離し孔）を穿設するとともに、この横孔１８の長さ（ｐ１及びｐ２間の距離）に対応させて外筒８の上端部と頂板６の切欠き部９の周方向左右位置Ｑ１、Ｑ２（図６（ｂ）参照）との境界位置に図２（ｃ）に示す切込み部ｈ１、ｈ２と同様の切込み部を設けて押込み操作部１５としたものであり、当該押込み操作部１５を内方へ押込むことで、押込み操作部１５の中央部から大きく撓み変形させて切欠き部９の間から蓋体３の側壁１０の下端部１０ａが出現するようにしたものである。なお、図１の例と同様、押込み操作部１５の範囲には、薄肉部を形成してあり、当該薄肉部の形成範囲と押込み操作部１５は、少なくても切欠き部９の幅に対応する部分に設けてあれば良い。
【００２５】
図７及び８に示す例は、キャップ本体２の外筒８の、切欠き部９の下方に位置する部分に、縦方向に延びる縦孔１９ａ及び横方向に延びる横孔１９ｂからなる略Ｌ字形状の切離し孔１９を穿設し、かつ上記横孔１９ｂの長さに対応させて外筒８の上端部と頂板６の切欠き部９の周方向左位置Ｑ１（図８（ｂ）参照）との境界位置に図２（ｃ）に示す切込み部ｈ１と同様の切込み部を設けて押込み操作部１５としたものであり、当該押込み操作部１５を内方へ押込むことで、押込み操作部１５の根元部分ｐ３を基に弾性変形させて切欠き部９の間から蓋体３の側壁１０の下端部１０ａが出現するようにしたものである。なお、図１の例と同様、押込み操作部１５の範囲には、薄肉部を形成してあり、当該薄肉部の形成範囲と押込み操作部１５は、少なくても切欠き部９の幅に対応する部分に設けてあれば良い。
【００２６】
図９〜１１に示す例は、押込み操作部１５をキャップ本体２の外筒８とは別部材の押し釦２０で構成したものである。押し釦２０は、図１０に示すように、外筒８と内筒７との間の収納スペース内に、キャップ本体２の下側から装填され、その前面部２１が、外筒８の、切欠き部９の下方に位置する部分に穿設されて該切欠き部９へとつながる開口部８ａから現れるようになっている。また、押し釦２０は内筒７の外周面に当接して押し釦２０に復元力をもたらす弾性片２２を一体に有し、弾性片２２が内筒７の外周面に当接した状態にて、押し釦２０の前面部２１は外筒８の外周面とほぼ面一に位置する。さらに押し釦２０は、上記収納スペースに収納された状態にて、例えば開口部８ａの端縁に設けることができる保持手段（図示省略）によって、がたつくことなく保持されていても、内筒７の外周面に縦リブあるいは横リブを設けて保持手段（図示省略）を形成しても良い。このように、押込み操作部１５を外筒８とは別部材である押し釦２０によって構成することで、操作感（押込み感）を安定させることでき、また押し釦２０の色調をその周囲に対して異ならせて押込み操作部１５の位置を明確とすることができ、使用勝手を向上させることができる。
【００２７】
以上、図示例に基づき説明したが、この発明は上述の実施形態に限定されるものでなく、特許請求の範囲の記載範囲内で適宜変更することができるものであり、例えば、蓋体３は、軸線Ｓ方向に沿ってみてキャップ本体２の外縁形状よりも小さい外縁形状を有するものでも良く、また押込み操作部１５の位置もヒンジ部４の反対側に限らず、左右片側又は両側に設けても良い。また押し釦２０に設ける弾性片２２は一体としても別体としても良く、弾性片をキャップ本体２側に設けても良い。さらに、押込み操作部１５の上端部分の肉厚を、他の押込み操作部１５よりも薄くして、より変形し易い形状にしても良い。さらに、上記実施形態では、外筒８と頂板６との境界位置に切込み部ｈ１、ｈ２を形成すると説明したが、この切込み部は無くてもよく、外筒８の、頂板６の切欠き部６の幅に対応する部分のみを押込み操作時に変形するようにしても良い。しかも、上記実施形態では、キャップ本体２と蓋体３とを別体にて構成したが、部品点数の削減を図りそれらを一体に形成しても良い。
【産業上の利用可能性】
【００２８】
かくして、この発明によれば、蓋体の良好な開蓋性を損なうことなく、不用意な開蓋を防止できる注出キャップを提案することが可能となる。
【符号の説明】
【００２９】
１  注出キャップ
２  キャップ本体
３  蓋体
６  頂板
７  内筒
８  外筒（周壁）
９  切欠き部
１５  押込み操作部
【図１】
2010275001.tif 000003
【図２】
2010275001.tif 000004
【図３】
2010275001.tif 000005
【図４】
2010275001.tif 000006
【図５】
2010275001.tif 000007
【図６】
2010275001.tif 000008
【図７】
2010275001.tif 000009
【図８】
2010275001.tif 000010
【図９】
2010275001.tif 000011
【図１０】
2010275001.tif 000012
【図１１】
2010275001.tif 000013